(57)【要約】【課題】より簡単な構成でプローブ電極部の周囲を照らすことが可能な携帯用テスタを提供することである。【解決手段】携帯用テスタ１０は、ユーザの手で挟んで持つことが可能な挟持部２８の先端から突出するように設けられ、被検査部に接触するプローブ電極部３０と、プローブ電極部３０からの信号によって被検査部のデータを測定する本体部１２と、挟持部２８内においてプローブ電極部３０と一方側が接続し、挟持部２８の基端側から本体部１２に向かって延伸して本体部１２と他方側が接続するリード線２５を有するプローブケーブル２４ａと、挟持部２８には、プローブ電極部３０の周囲を照らすライト３４と、ライト３４の点灯又は消灯を切り替えるスイッチ３６と、ライト３４へ電力を供給する電池３８とが設けられている。【選択図】図４
2014035189.tif 000002
【特許請求の範囲】
【請求項１】
ユーザの手で挟んで持つことが可能な挟持部の先端から突出するように設けられ、被検査部に接触するプローブ電極部と、
前記プローブ電極部からの信号によって前記被検査部のデータを測定する本体部と、
前記挟持部内において前記プローブ電極部と一方側が接続し、前記挟持部の基端側から前記本体部に向かって延伸して前記本体部と他方側が接続するリード線を有するプローブケーブルと、
前記挟持部には、前記プローブ電極部の周囲を照らすライトと、前記ライトの点灯又は消灯を切り替えるスイッチと、前記ライトへ電力を供給する電池とが設けられていることを特徴とする携帯用テスタ。
【請求項２】
請求項１に記載の携帯用テスタにおいて、
前記ライトは、前記挟持部の先端側に設けられ、
前記スイッチは、前記挟持部の中央部に設けられ、
前記電池は、前記挟持部の基端側に設けられることを特徴とする携帯用テスタ。
【請求項３】
請求項１または請求項２に記載の携帯用テスタにおいて、
前記ライト、前記スイッチ及び前記電池を前記挟持部に取り付けるための取付部を備え、
前記取付部は、
前記挟持部の長手方向に沿って伸びる延伸部と、
前記延伸部のうち前記挟持部の先端側に設けられ、前記プローブ電極部を周方向に囲む囲み部と、
を有し、
前記ライトは、前記囲み部に設けられ、
前記スイッチ及び前記電池は、前記延伸部に設けられることを特徴とする携帯用テスタ。
【請求項４】
請求項３に記載の携帯用テスタにおいて、
前記囲み部には複数の前記ライトが周方向に沿って並んで設けられていることを特徴とする携帯用テスタ。
【請求項５】
請求項３または請求項４に記載の携帯用テスタにおいて、
前記延伸部は、前記挟持部の外形に沿った形状を有することを特徴とする携帯用テスタ。
【請求項６】
請求項１から請求項５のいずれか１項に記載の携帯用テスタにおいて、
前記ライトは、発光ダイオードであることを特徴とする携帯用テスタ。
【発明の詳細な説明】
【技術分野】
【０００１】
本発明は、携帯用テスタに関する。
【背景技術】
【０００２】
従来から、作業員等のユーザが携帯用テスタを用いて様々な機器等のデータを測定している。例えば、携帯用テスタを用いてエレベータ全般を制御する制御盤の各端子から出力されるデータを測定することがあり、その制御盤が例えば昇降路の最下階のピットに設置されている場合は、作業員は暗闇の中で作業をする必要がある。このため、携帯用テスタのプローブ電極部を被検査部である制御盤の各端子に正確に接触させるためには、プローブ電極部の周囲が照らされた状態で作業できることが望ましい。
【０００３】
本発明に関連する技術として、例えば、特許文献１には、測定用の一側プローブと、あらかじめ設定してある特定動作機能を作動させるための特定機能入力キーからの入力状況に応じて一側プローブの接触端方向への照射光の照射を自在としたライトと、測定値を表示するための表示部とを少なくとも備えてなる携帯用テスタ本体と、該携帯用テスタ本体からリード線を介して引き出された測定用の他側プローブとを備えるライト付き携帯用テスタが開示されている。
【０００４】
ここで、上記特定機能入力キーは、入力開始時点での現在状態を保持させた上でその入力に応じた特定動作機能の作動開始と、入力継続状態が所定時間経過した時にライトを点灯させて現在作動中の特定動作機能を解除すると同時に最初に特定機能入力キーからの入力があった時点における現在状態の表示部への再現と、入力操作されないままライトの点灯が一定時間を経過した際の自動消灯とを自在に配設したことを特徴とすることが述べられている。
【先行技術文献】
【特許文献】
【０００５】
【特許文献１】特許第４２８２２７４号
【発明の概要】
【発明が解決しようとする課題】
【０００６】
上記特許文献１の構成によれば、プローブ電極部の周囲が照らされた状態で作業を行うことができる。しかしながら、上記特許文献１の構成は、測定値のホールド機能等といった複雑な機能を実現するために複雑な構成を有しているため、操作の手順を理解するのに労力を有し、使い勝手が悪いという問題があった。
【０００７】
本発明の目的は、より簡単な構成でプローブ電極部の周囲を照らすことが可能な携帯用テスタを提供することである。
【課題を解決するための手段】
【０００８】
本発明に係る携帯用テスタは、ユーザの手で挟んで持つことが可能な挟持部の先端から突出するように設けられ、被検査部に接触するプローブ電極部と、前記プローブ電極部からの信号によって前記被検査部のデータを測定する本体部と、前記挟持部内において前記プローブ電極部と一方側が接続し、前記挟持部の基端側から前記本体部に向かって延伸して前記本体部と他方側が接続するリード線を有するプローブケーブルと、前記挟持部には、前記プローブ電極部の周囲を照らすライトと、前記ライトの点灯又は消灯を切り替えるスイッチと、前記ライトへ電力を供給する電池とが設けられていることを特徴とする。
【０００９】
また、本発明に係る携帯用テスタにおいて、前記ライトは、前記挟持部の先端側に設けられ、前記スイッチは、前記挟持部の中央部に設けられ、前記電池は、前記挟持部の基端側に設けられることが好ましい。
【００１０】
また、本発明に係る携帯用テスタにおいて、前記ライト、前記スイッチ及び前記電池を前記挟持部に取り付けるための取付部を備え、前記取付部は、前記挟持部の長手方向に沿って伸びる延伸部と、前記延伸部のうち前記挟持部の先端側に設けられ、前記プローブ電極部を周方向に囲む囲み部と、を有し、前記ライトは、前記囲み部に設けられ、前記スイッチ及び前記電池は、前記延伸部に設けられることが好ましい。
【００１１】
また、本発明に係る携帯用テスタにおいて、前記囲み部には複数の前記ライトが周方向に沿って並んで設けられていることが好ましい。
【００１２】
また、本発明に係る携帯用テスタにおいて、前記延伸部は、前記挟持部の外形に沿った形状を有することが好ましい。
【００１３】
また、本発明に係る携帯用テスタにおいて、前記ライトは、発光ダイオードであることが好ましい。
【発明の効果】
【００１４】
本発明によれば、ライト、スイッチ及び電池をユーザの手で挟んで持つことが可能な挟持部に設けることにより、プローブ電極部の周囲を照らすことができるため、プローブ電極部を被検査部に正確に接触させることができる。また、本発明によれば、上記のように挟持部にライト、スイッチ及び電池が設けられるのみの簡単な構成でプローブ電極部の周囲を照らすことができる。
【図面の簡単な説明】
【００１５】
【図１】本発明に係る実施の形態において、携帯用テスタを示す図である。
【図２】本発明に係る実施の形態において、携帯用テスタにおいて、電源回路部とテストリード部との接続関係を示す図である。
【図３】本発明に係る実施の形態において、アタッチメント部と挟持部とが分離されている様子を示す図である。
【図４】本発明に係る実施の形態において、アタッチメント部を挟持部に取り付けられた様子を示す図である。
【図５】本発明に係る実施の形態において、アタッチメント部の変形例を示す図である。
【発明を実施するための形態】
【００１６】
以下に、本発明に係る携帯用テスタの実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００１７】
図１は、携帯用テスタ１０を示す図である。図２は、携帯用テスタ１０において、電気回路部２０とテストリード部１４との接続関係を示す図である。携帯用テスタ１０は、本体部１２と、本体部１２から延びた一対のテストリード部１４と、アタッチメント部３１とを備えている。なお、図２では、アタッチメント部３１を省略している。
【００１８】
本体部１２の表面には、本体部１２の電源を「ＯＮ」又は「ＯＦＦ」するための「ＰＯＷＥＲ」ボタン１５と、測定モードを切り替えるために測定モード毎に割り当てられたモード設定ボタン１６ａ〜１６ｅと、測定結果を表示するＬＣＤ（液晶ディスプレイ）からなるデジタル表示部１８とが設けられている。また、本体部１２の内部には、電気回路部２０が組み込まれている。
【００１９】
モード設定ボタン１６ａ〜１６ｅは、それぞれ、ＡＣ（交流）電圧測定用の「ＡＣＶ」ボタン１６ａと、ＤＣ（直流）電圧測定用の「ＤＣＶ」ボタン１６ｂと、電流測定用の「Ａ」ボタン１６ｃと、抵抗測定用の「Ω」ボタン１６ｄと、導通チェックのための「導通チェック」ボタン１６ｅとを備える。
【００２０】
携帯用テスタ１０では、作業者等のユーザが使用するに際して、先ず、本体部１２に設けられた電源スイッチである「ＰＯＷＥＲ」ボタン１５を押して携帯用テスタ１０の電源を「ＯＮ」とする。
【００２１】
次いで、本体部１２に設けられた複数のボタン１６ａ〜１６ｅの中の所望のボタンスイッチを押すことによって、測定モードを設定する。例えば、「ＤＣＶ」ボタン１６ｂを押すことによって、ＤＣ（直流）電圧測定が可能となる。
【００２２】
また、例えば、電気抵抗の測定を必要とする場合には抵抗測定用の「Ω」ボタン１６ｄを押すことにより、測定モードが、従前の設定から切り替わり、これにより、電気抵抗の測定が可能となる。
【００２３】
電気回路部２０は、テストリード部１４からの信号により被検査物の電圧、電流、電気抵抗等を測定し、デジタル表示部１８にその結果を表示させる測定回路２２と、モード設定ボタン１６ａ〜１６ｅの操作に対応してモード設定信号を測定回路２２に送信するモード設定回路２４とを備える。
【００２４】
各テストリード部１４は、それぞれ、一端が本体部１２の電気回路部２０に接続されたプローブケーブル２４ａと、プローブケーブル２４ａの他端にそれぞれ接続された測定プローブ２６とを備える。
【００２５】
なお、プローブケーブル２４ａは、電気回路部２０に対して取り外し自在に差し込まれる接続端子方式でも良く、電気回路部２０に対して固定的に接続された固定式のものでも良い。
【００２６】
測定プローブ２６は、ユーザが手で持って操作する挟持部２８と、プローブ電極部３０とを備える。挟持部２８は、ユーザの手で挟持しやすい程度の太さからなる円柱形状を有している。プローブ電極部３０は、挟持部２８の先端側の円形表面の中央から突出する円柱形状を有する電極である。プローブ電極部３０は、プローブケーブル２４ａ内に設けられているリード線２５にて電気回路部２０の測定回路２２に電気的に接続されている。すなわち、プローブケーブル２４ａのリード線２５の一方端はプローブ電極部３０に接続され、他方端は電気回路部２０の測定回路２２に接続される。
【００２７】
図３は、挟持部２８と、挟持部２８に取り付けられるアタッチメント部３１とが分離されている様子を示す図である。図４は、アタッチメント部３１を挟持部２８に取り付けた様子を示す図である。アタッチメント部３１は、取付部３２、ライト３４、スイッチ３６及び電池３８を備える付属品である。取付部３２は、ライト３４、スイッチ３６及び電池３８を挟持部２８に取り付けるための部材であり、プラスチック等の樹脂材料を用いて構成されている。取付部３２は、挟持部２８の長手方向に沿って伸びる延伸部４０と、延伸部４０のうち挟持部２８の先端側に設けられ、プローブ電極部３０を周方向に囲む囲み部４２とを備える。
【００２８】
延伸部４０は、図３に示されるように、挟持部２８の湾曲形状に沿った形状を有し、挟持部２８の長手方向に沿って伸びている伸び部４０ａと、伸び部４０ａの中央部及び基端部から挟持部２８の周方向に伸びて挟持部２８を挟み込む挟み部４０ｂとを有している。
【００２９】
囲み部４２は、その中央部にプローブ電極部３０を挿入可能な貫通孔４２ａを有し、略円板形状を有しており、その内部には、貫通孔４２ａの周りを囲むようにライト３４が複数個埋め込まれている。
【００３０】
ライト３４は、挟持部２８の先端側に取り付けられ、プローブ電極部３０の周囲を照らす小型ライトである。ライト３４は、順方向に電圧を加えた際に発光する半導体素子からなり、省電力、かつ、小型化が実現された発光ダイオードで構成される。複数のライト３４は、囲み部４２の内部において、貫通孔４２ａの周りを周方向に沿って並んで埋め込まれている。
【００３１】
スイッチ３６は、延伸部４０のうち挟持部２８の中央部に設けられ、ライト３４の点灯又は消灯を切り替える小型スイッチ回路であり、例えば、押しボタンスイッチやマイクロスイッチを用いて構成することができる。
【００３２】
電池３８は、延伸部４０のうち挟持部２８の基端側に設けられ、ライト３４へ電力を供給するボタン電池である。電池３８は、例えば、リチウム電池、アルカリマンガン電池、酸化銀電池、空気亜鉛電池、水銀電池等を用いて構成することができる。また、ライト３４、スイッチ３６及び電池３８は、それぞれ導線を用いて電気的に接続されている。
【００３３】
ここで、アタッチメント部３１は、図３に示されるように挟持部２８と分離することが可能なものであるが、ユーザが必要に応じて、図４に示されるように挟持部２８に取り付けることができる。このとき、囲み部４２の貫通孔４２ａにプローブ電極部３０を挿入し、挟み部４０ｂを外側に開きながら、挟み部４０ｂを挟持部２８に嵌め込んでアタッチメント部３１の取り付けが完了する。
【００３４】
続いて、上記構成からなる携帯用テスタ１０の作用について説明する。
【００３５】
作業者等のユーザが携帯用テスタ１０を用いてエレベータ全般を制御する制御盤の各端子からのデータを測定することがあり、その制御盤が例えば昇降路の最下階のピットに設置されている場合は、作業員は暗闇の中で作業をする必要がある。このとき、携帯用テスタ１０を用いると、挟持部２８を挟持してプローブ電極部３０を被検査部である制御盤の端子に接触させる際にスイッチ３６を押すと、ライト３４が点灯して、プローブ電極部３０の周囲が照らされる。これにより、作業者は明るい状態で作業ができ、プローブ電極部を被検査部に正確に接触させることができる。
【００３６】
また、携帯用テスタ１０のアタッチメント部３１は、取付部３２、ライト３４、スイッチ３６及び電池３８のみを備えた簡単な構成からなる付属品である。そして、このアタッチメント部３１は、本実施形態の携帯用テスタ１０の挟持部２８のみならず、従来からの携帯用テスタの挟持部にも容易に後付できるという利点がある。
【００３７】
次に、アタッチメント部３１の変形例であるアタッチメント部３１ａについて、図５を用いて説明する。図５は、アタッチメント部３１ａと挟持部２８とが分離されている様子を示す図である。アタッチメント部３１ａは、アタッチメント部３１とは異なり囲み部４２を有しない。そして、アタッチメント部３１ａの延伸部４０は、アタッチメント部３１とは異なり、その断面が挟持部２８の外形に沿うような略Ｕ字状を有し、挟持部２８との接触面積が大きい内面部を有している。この略Ｕ字状の端部を外側に開き挟持部２８に嵌め込んで挟持部２８に取り付けることで、上記携帯用テスタ１０のアタッチメント部３１と同様の効果を有する。なお、アタッチメント部３１の挟持部２８への嵌め込み状態が弱い場合には、必要に応じて紐や輪ゴム等の部材を用いて補強することもできる。
【００３８】
なお、本発明は上述した実施形態および変形例に限定されるものではなく、本願の特許請求の範囲に記載された事項およびその均等な範囲において種々の改良や変更が可能である。
【００３９】
例えば、ライト３４、スイッチ３６及び電池３８は、取付部３２を介して挟持部２８に取り付けられるものとして説明したが、取付部３２を介さずに、例えば、接着剤等を用いて、挟持部２８に直接取り付けてもよい。
【符号の説明】
【００４０】
１０  携帯用テスタ、１２  本体部、１４  テストリード部、１５  ＰＯＷＥＲボタン、１６ａ〜１６ｅ  モード設定ボタン、１８  デジタル表示部、２０  電気回路部、２２  測定回路、２４  モード設定回路、２４ａ  プローブケーブル、２５  リード線、２６  測定プローブ、２８  挟持部、３０  プローブ電極部、３１，３１ａ  アタッチメント部、３２  取付部、３４  ライト、３６  スイッチ、３８  電池、４０  延伸部、４０ａ  伸び部、４０ｂ  挟み部、４２  囲み部。
【図１】
2014035189.tif 000003
【図２】
2014035189.tif 000004
【図３】
2014035189.tif 000005
【図４】
2014035189.tif 000006
【図５】
2014035189.tif 000007